(57)【特許請求の範囲】
【請求項１】
矩形状の外枠と、
幅方向一端側が前記外枠に軸支され、該外枠に軸支された幅方向一端側を回転軸にして幅方向他端側が往復移動することで、前記外枠に対し開閉可能に設けられた枠体と、
前記枠体に設けられ、前記外枠に対し前記枠体の施錠を可能とするフック部材と、
前記外枠を構成する一対の縦枠板のうち、前記外枠に対し前記枠体を閉じた状態で前記枠体の他端側に位置する前記縦枠板に配置され、前記フック部材に係合可能な係合部材と、を備え、
前記係合部材は、
前記縦枠板に当接させて固定した当接板と、
前記当接板から前記外枠の幅方向内側に起立して設けられた起立部と、
前記起立部の上下方向の端縁のうち、少なくとも一方の端縁から背面側へ向かって屈曲させて形成した前記フック部材に係合する係合部と、
該係合部に、前記外枠の幅方向における前記フック部材の幅よりも同幅方向に長く形成され、前記縦枠板が前記外枠の幅方向における幅方向外側に変位する際、前記フック部材を掛止する掛止部と、を有すること、
を特徴とする遊技機。
【請求項２】
前記掛止部は、
前記係合部に前記フック部材を係合させた際、前記フック部材よりも前記外枠における
幅方向内側に位置し、前記フック部材と前記係合部材とが係合する係合部よりも前記外枠
の背面側に向かって延設してなること、
を特徴とする請求項１記載の遊技機。
【請求項３】
前記掛止部は、
前記係合部に凹状をなして形成され、前記係合部に前記フック部材を係合させた際、該
フック部材が前記係合部の凹状をなして形成された部位に嵌め込まれてなること、
を特徴とする請求項１又は２記載の遊技機。
【発明の詳細な説明】
【技術分野】
【０００１】
本発明は、遊技機に関し、特に、外枠に対し、開閉可能に設けられた枠体（ガラス枠及び内枠。）の施錠を可能にする施錠機構を具備する遊技機に関する。
【背景技術】
【０００２】
従来、遊技機の外枠は、上枠板、下枠板及び左右の側枠板を各々帯状に裁断し、裁断した各枠板を矩形状に組み合わせて構成されている。そして、これら各枠板は、木材を用いて構成されている。
【０００３】
近年、遊技機の外枠の各枠板には、リサイクル又はリユース等を目的として、木材ではなく、アルミニウム等の金属を用いたものが求められている。また、各枠板に金属を用いることで、各枠板を木材よりも薄型にすることが可能になる。
【０００４】
例えば、特許文献１には、枠板に金属を用いて構成されたパチンコ機の外枠用縦枠材及び該縦枠材を用いたパチンコ機用外枠が開示されている。
【先行技術文献】
【特許文献】
【０００５】
【特許文献１】特開２０１０−１４８８４３号公報（段落００３４参照）
【発明の概要】
【発明が解決しようとする課題】
【０００６】
ところで、通常、木材よりも金属の方が可撓性を有している。したがって、上記特許文献１では、上述したように、金属を用いて構成されているため、縦枠板が撓み易くなっている。
【０００７】
このように、上記特許文献１では、縦枠板が撓み易いと、例えば、縦枠板にバール等を引っ掛け、こじ開ける不正行為に対し、容易に縦枠板が幅方向外側に変位してしまう。
【０００８】
そして、上記特許文献１では、不正行為により縦枠板が変位してしまうと、外枠と枠体とを施錠する施錠機構が解錠されてしまう可能性がある。詳述すると、通常、施錠機構は、外枠に設けられた係合部材と、内枠に設けられたフック部材とを係合させて施錠している。このとき、上述したように、不正行為により縦枠板が変位すると、この縦枠板の変位に伴い、係合部材が移動する。これにより、フック部材に対し係合部材が脱してしまう可能性がある。
【０００９】
このため、上記特許文献１では、不正行為により施錠機構が解錠されないように、縦枠板の変位を抑制する点については改善の余地がある。
【００１０】
したがって、上記特許文献１では、不正行為により施錠機構が解錠されないように、縦枠板の変位を抑制し、不正対策をより強化する点については技術的課題がある。
【００１１】
本発明の目的は、上記従来の実情に鑑みて、不正対策をより強化することが可能な遊技機を提供することにある。
【課題を解決するための手段】
【００１２】
上記目的を達成するために、本発明に係る遊技機は、矩形状の外枠と、幅方向一端側が上記外枠に軸支され、この外枠に軸支された幅方向一端側を回転軸にして幅方向他端側が往復移動することで、上記外枠に対し開閉可能に設けられた枠体と、上記枠体に設けられ、上記外枠に対し上記枠体の施錠を可能とするフック部材と、上記外枠を構成する一対の縦枠板のうち、上記外枠に対し上記枠体を閉じた状態で上記枠体の他端側に位置する上記縦枠板に配置され、上記フック部材に係合可能な係合部材と、を備え、上記係合部材は、前記縦枠板に当接させて固定した当接板と、前記当接板から前記外枠の幅方向内側に起立して設けられた起立部と、前記起立部の上下方向の端縁のうち、少なくとも一方の端縁から背面側へ向かって屈曲させて形成した前記フック部材に係合する係合部と、該係合部に、前記外枠の幅方向における前記フック部材の幅よりも同幅方向に長く形成され、前記縦枠板が前記外枠の幅方向における幅方向外側に変位する際、前記フック部材を掛止する掛止部と、を有して構成されている。
【００１３】
また、上記目的を達成するために、本発明に係る遊技機の上記掛止部は、上記係合部に上記フック部材を係合させた際、上記フック部材よりも上記外枠における幅方向内側に位置し、上記フック部材と上記係合部材とが係合する係合部よりも上記外枠の背面側に向かって延設してなる。
【００１４】
また、上記目的を達成するために、本発明に係る遊技機の上記掛止部は、上記係合部に凹状をなして形成され、上記係合部に上記フック部材を係合させた際、このフック部材が上記係合部の凹状をなして形成された部位に嵌め込まれてなる。
【発明の効果】
【００１５】
本発明の遊技機によれば、不正対策をより強化することが可能な遊技機を提供することができる。
【図面の簡単な説明】
【００１６】
【図１】本発明の一実施の形態である遊技機に係る構成について、第１開放状態（ガラス枠を開いた状態。）を模式的に示す斜視図である。
【図２】本発明の一実施の形態である遊技機に係る構成について、第２開放状態（ガラス枠及び内枠を開いた状態。）を模式的に示す斜視図である。
【図３】本発明の一実施の形態である遊技機に係る構成を模式的に示す正面図である。
【図４】図２におけるＡ部及びＢ部の正面側から目視し、これらＡ部及びＢ部を拡大して示す拡大正面図である。
【図５Ａ】図２におけるＡ部及びＢ部の第１状態を背面側から目視し、これらＡ部及びＢ部を拡大して示す拡大背面図である。
【図５Ｂ】図２におけるＡ部及びＢ部の第２状態を背面側から目視し、これらＡ部及びＢ部を拡大して示す拡大背面図である。
【図６Ａ】本発明の他の実施の形態である遊技機に係る構成について、図２におけるＡ部及びＢ部の第１状態を背面側から目視し、これらＡ部及びＢ部を拡大して示す拡大背面図である。
【図６Ｂ】本発明の他の実施の形態である遊技機に係る構成について、図２におけるＡ部及びＢ部の第２状態を背面側から目視し、これらＡ部及びＢ部を拡大して示す拡大背面図である。
【発明を実施するための形態】
【００１７】
以下、図面を参照しながら、本発明の実施の形態について詳細に説明する。なお、遊技機には、例えば、パチンコ遊技機、アレンジボール機又は雀球遊技機等があるが、本発明の実施の形態では、一例として、パチンコ遊技機に基づいて説明する。
（実施の形態１）
【００１８】
図１は、本発明の一実施の形態である遊技機１０に係る構成について、第１開放状態（ガラス枠３０を開いた状態。）を模式的に示す斜視図であり、図２は、本発明の一実施の形態である遊技機１０に係る構成について、第２開放状態（ガラス枠３０及び内枠４０を開いた状態。）を模式的に示す斜視図であり、図３は、本発明の一実施の形態である遊技機１０に係る構成を模式的に示す正面図である。
【００１９】
図１乃至図３に例示されるように、本実施の形態において、遊技機１０は、遊技機１０の外郭を形成する外枠２０と、幅方向一端側が外枠２０に軸支され、この一端側を回転軸にして幅方向他端側が往復移動することで、外枠２０に対して開閉可能に設けられたガラス枠（枠体）３０及び内枠（枠体）４０と、を備えて構成されている。
【００２０】
この外枠２０は、この外枠２０を正面側から目視すると、上板２１、下板２２、左側板（縦枠板）２３、右側板（縦枠板）２４からなる四辺の夫々を左上方連結金具２５ａ、左下方連結金具２５ｂ、右上方連結金具２５ｃ、右下方連結金具２５ｄにより連結させて、略長方形状の囲繞空間を有して構成されている。
【００２１】
これら上板２１及び左側板２３を連結する左上方連結金具２５ａと、左側板２３及び下板２２を連結する左下方連結金具２５ｂとには、遊技機１０の前面側に突出した位置で互いに対向して配置された一対の上方ヒンジ２６ａ、下方ヒンジ２６ｂが設けられている。
【００２２】
この一対の上方ヒンジ２６ａ、下方ヒンジ２６ｂには、ガラス枠３０が連結され、これらガラス枠３０が、上述したように、外枠２０の左側板２３を軸にして開閉可能となるように外枠２０に支持されている。
【００２３】
具体的には、ガラス枠３０には、上方枢支軸２７ａ及び下方枢支軸２７ｂが設けられ、これら上方枢支軸２７ａ及び下方枢支軸２７ｂが上方ヒンジ２６ａ及び下方ヒンジ２６ｂに回転可能となるように支持されている。
【００２４】
このように、ガラス枠３０の上方枢支軸２７ａ及び下方枢支軸２７ｂが上方ヒンジ２６ａ及び下方ヒンジ２６ｂに開閉可能となるように支持されることで、ガラス枠３０が外枠２０の左側板２３を軸にして開閉可能となるように支持されている。
【００２５】
また、内枠４０には、図示しない上ヒンジ及び下ヒンジが設けられ、これら上ヒンジ及び下ヒンジがガラス枠３０の上方枢支軸２７ａ及び下方枢支軸２７ｂに回転可能となるよう支持されることで、内枠４０が外枠２０の左側板２３を軸にして開閉可能となるよう支持されている。
【００２６】
そして、内枠４０には、遊技盤５０が設けられている。この遊技盤５０は、遊技機１０を遊技場に設置する際、設置面に対して略垂直に立設するように内枠４０に固定されている。すなわち、遊技盤５０の表面（以下、遊技面５１という。）は、ガラス枠３０に設けられた透過部材３１を介して遊技者に対面するように配置されている。
【００２７】
図３に例示されるように、この遊技盤５０は、遊技面５１に入賞装置、風車、障害釘等の遊技部品が配設され、遊技球が転動又は流下可能な遊技領域５２を有して構成されている。
【００２８】
また、遊技面５１には、図示しない発射装置により発射された遊技球を遊技領域５２に案内する役目を果たし、遊技領域５２を囲繞して配置され、遊技面５１に対して垂直に起立して配置された帯状の外ガイドレール５３及び内ガイドレール５４が設けられている。
【００２９】
そして、これら外ガイドレール５３及び内ガイドレール５４は、所定の間隔を保って互いに対向して配置されているため、外ガイドレール５３及び内ガイドレール５４の間には、遊技球が通過可能なガイド通路が区画されている。
【００３０】
ガイド通路は、上述したように、外ガイドレール５３及び内ガイドレール５４の間に区画されている。そして、ガイド通路は、図示しない接続通路を介して図示しない発射装置に連接されている。
【００３１】
すなわち、ガイド通路は、発射装置により発射された遊技球が接続通路を通過した後、ガイド通路を通過することで、遊技球が遊技面５１の左側下方から左側上方に向かって飛び出すように区画されている。
【００３２】
このガイド通路を通過して遊技領域５２に到達した遊技球は、その後、遊技領域５２内を転動又は流下する。このとき、遊技領域５２に設けられた複数の釘や風車によって、遊技球は予測不能に転動又は流下することになる。
【００３３】
この遊技領域５２には、複数の釘や風車等の他に、複数の一般入賞口、始動口、大入賞口及び普通図柄ゲートが配設されている。本実施の形態では、これら一般入賞口、始動口、大入賞口及び普通図柄ゲートは、既知のものを用いて構成され、本実施の形態の特有の構成ではないため、その説明を省略する。
【００３４】
ここで、図１及び図２では、ガラス枠３０及び内枠４０は、外枠２０に対して開放された状態を示しているが、図３に例示されるように、外枠２０に対してガラス枠３０及び内枠４０を閉じた状態では、外枠２０、ガラス枠３０及び内枠４０が全て略平行に配置されている。
【００３５】
そして、遊技機１０は、外枠２０に対してガラス枠３０及び内枠４０を閉じた状態では、外枠２０に対し、ガラス枠３０及び内枠４０の施錠を可能とする施錠機構１００を備えて構成されている。
【００３６】
以下、この施錠機構１００について、図１乃至図３に加えて、図４、図５Ａ及び図５Ｂを用いて説明する。図４は、図２におけるＡ部及びＢ部の正面側から目視し、これらＡ部及びＢ部を拡大して示す拡大正面図である。
【００３７】
また、図５Ａは、図２におけるＡ部及びＢ部の第１状態を背面側から目視し、これらＡ部及びＢ部を拡大して示す拡大背面図であり、図５Ｂは、図２におけるＡ部及びＢ部の第２状態を背面側から目視し、これらＡ部及びＢ部を拡大して示す拡大背面図である。
【００３８】
図１乃至図３に例示されるように、この施錠機構１００は、主に、昇降機構１０１及び係合部材２００から構成されている。この昇降機構１０１は、内枠４０に設けられている。一方、係合部材２００は、外枠２０に設けられている。
【００３９】
そして、施錠機構１００は、内枠４０に設けられた昇降機構１０１のフック部材１０２と、外枠２０に設けられた係合部材２００と、を係合させることで、施錠を可能にしている。
【００４０】
なお、本実施の形態において、施錠機構１００は、内枠４０に昇降機構１０１を設け、外枠２０に係合部材２００を設けているが、これに限定されず、例えば、内枠４０に係合部材２００を設け、外枠２０に昇降機構１０１を設けても良い。また、昇降機構１０１が内枠４０に設けられているが、これに限定されず、例えば、ガラス枠３０に設けても良い。
【００４１】
この施錠機構１００を構成する昇降機構１０１は、主に、この昇降機構１０１を構成するフック部材１０２を昇降可能となるよう支持する役目を果たしている。この昇降機構１０１は、既知のものを用いて構成され、本実施の形態の特有の構成ではないため、その説明を省略する。
【００４２】
また、施錠機構１００を構成する係合部材２００は、右側板２４に当接する当接部２０１を備えて構成されている。すなわち、係合部材２００は、右側板２４の幅方向内側面に当接部２０１を当て付け、例えば、ネジ等で右側板２４に固定されている。なお、固定方法は、ネジ等に限定されず、例えば、接着剤を用いて固定しても良い。
【００４３】
また、係合部材２００は、当接部２０１から外枠２０の幅方向内側に起立して設けられた第１起立部２０２を備えて構成されている。そして、係合部材２００は、第１起立部２０２から背面側に起立して設けられた第２起立部２０３及び第３起立部（係合部）２０４を備えて構成されている。
【００４４】
この第２起立部２０３は、第１起立部２０２の上下方向における上方縁に配置され、上述したように、第１起立部２０２から背面側に起立して設けられている。また、第３起立部２０４は、第１起立部２０２の上下方向における下方縁に配置され、上述したように、第１起立部２０２から背面側に起立して設けられている。
【００４５】
このように、第２起立部２０３及び第３起立部２０４が背面側に向かって起立して設けられることで、これら第２起立部２０３及び第３起立部２０４の何れか一方に（本実施の形態では、第３起立部２０４。）、フック部材１０２を引っ掛けることが可能になる。
【００４６】
すなわち、本実施の形態の施錠機構１００は、昇降機構１０１によりフック部材１０２を昇降させ、係合部材２００の第３起立部２０４から係脱可能となるよう構成することで、外枠２０に対し、ガラス枠３０及び内枠４０の施錠を可能にしている。
【００４７】
具体的には、施錠機構１００は、外枠２０に対し、ガラス枠３０及び内枠４０の解錠時には、昇降機構１０１によりフック部材１０２を下降させ、係合部材２００からフック部材１０２を脱する。このように、施錠機構１００は、係合部材２００からフック部材１０２を脱することで、ガラス枠３０及び内枠４０の解錠を可能にしている。
【００４８】
一方、施錠機構１００は、外枠２０に対し、ガラス枠３０及び内枠４０を施錠する際、昇降機構１０１によりフック部材１０２を下降させながら、ガラス枠３０及び内枠４０を閉じた状態に移動させる。
【００４９】
そして、施錠機構１００は、外枠２０に対し、ガラス枠３０及び内枠４０を閉じた状態でフック部材１０２を上昇させ、フック部材１０２と係合部材２００とを係合させる。このように、施錠機構１００は、フック部材１０２と係合部材２００とを係合させることで、ガラス枠３０及び内枠４０の施錠を可能にしている。
【００５０】
なお、本実施の形態において、第１起立部２０２の上縁に第２起立部２０３を設け、第１起立部２０２及び第３起立部２０４を設けているが、フック部材１０２を引っ掛ける部位、すなわち、第３起立部２０４のみを設けても良い。
【００５１】
ここで、本実施の形態の外枠の右側板２４は、アルミ等の金属を用いて構成されている。このように、右側板２４が金属を用いて構成されると、右側板２４をリサイクル又はリユース等により再利用することが可能になる。また、右側板２４が金属を用いて構成されると、軽量化を図ることが可能になる。
【００５２】
しかしながら、右側板２４が金属を用いて構成されると、上述したように、再利用、軽量化等の利点もあるが、木材よりも可撓性が高くなる。したがって、右側板２４が撓み易くなると、例えば、この右側板２４が外枠２０の幅方向外側に変位し易くなる。
【００５３】
これにより、従来の施錠機構１００は、右側板２４の変位によりフック部材１０２と係合部材２００とが脱してしまい、意図せずに解錠されてしまう可能性がある。
【００５４】
これに対し、本実施の形態の係合部材２００には、外枠２０の右側板２４が幅方向外側に変位する際、フック部材１０２に掛止される掛止部２０５が設けられている。
【００５５】
この掛止部２０５は、係合部材２００にフック部材１０２を係合させた際、フック部材１０２よりも幅方向内側に位置している。そして、掛止部２０５は、フック部材１０２と係合部材２００とが係合する第３起立部（係合部）２０４よりも背面側に延出して形成されている。
【００５６】
このように、掛止部２０５が、フック部材１０２よりも幅方向内側に配置され、フック部材１０２よりも背面側に延出して形成されているため、右側板２４が幅方向外側に変位すると、フック部材１０２に掛止部２０５が掛止めされる。すなわち、掛止部２０５により、右側板２４の幅方向外側への変位を抑制することが可能になる。
【００５７】
したがって、本実施の形態の掛止部２０５によれば、右側板２４の外枠２０における幅方向外側への変位を抑制することで、意図せずに係合部材２００からフック部材１０２が脱しない、すなわち、解錠されないようにすることが可能になる。
【００５８】
このように、本実施の形態の係合部材２００によれば、施錠機構１００が意図せずに解錠されないように、右側板２４の幅方向外側への変位を抑制することで、不正対策をより強化することができる。
【００５９】
（実施の形態２）
次に、本発明の他の実施の形態について、図６Ａ及び図６Ｂを用いて説明する。図６Ａは、本発明の他の実施の形態である遊技機に係る構成について、図２におけるＡ部及びＢ部の第１状態を背面側から目視し、これらＡ部及びＢ部を拡大して示す拡大背面図である。
【００６０】
また、図６Ｂは、本発明の他の実施の形態である遊技機に係る構成について、図２におけるＡ部及びＢ部の第２状態を背面側から目視し、これらＡ部及びＢ部を拡大して示す拡大背面図である。
【００６１】
なお、本実施の形態において、上述の実施の形態１に対し、掛止部３０５がフック部材１０２と係合部材３００とが係合する第３起立部（係合部）３０４に凹部を形成した点が異なり、他の点は同様である。したがって、上述の実施の形態１と同一又は相当する部分については、同様の符号を付してその説明を省略する。
【００６２】
図６Ａ及び図６Ｂに例示されるように、本実施の形態の掛止部３０５は、上述したように、フック部材１０２と係合部材３００とが係合する第３起立部（係合部）３０４を凹ませて形成されている。すなわち、この掛止部３０５には、係合部材３００にフック部材１０２を係合させた際、フック部材１０２が嵌め込まれる。
【００６３】
このように、本実施の形態の掛止部３０５は、この掛止部３０５にフック部材１０２を嵌め込ませて支持しているため、右側板２４の変位をより確実に抑制することが可能になる。
【００６４】
したがって、本実施の形態の掛止部３０５によれば、上述したように、右側板２４の幅方向外側への変位をより確実に抑制することが可能になるため、係合部材３００からフック部材１０２の外れもより確実に予防することが可能になる。
【００６５】
このように、本実施の形態の係合部材３００によれば、この係合部材３００からフック部材１０２が外れないように右側板２４の変位を抑制しているため、不正対策をより確実に強化することができる。
【符号の説明】
【００６６】
１０      遊技機
２０      外枠
２１      上板
２２      下板
２３      左側板（縦枠板）
２４      右側板（縦枠板）
３０      ガラス枠（枠体）
４０      内枠（枠体）
１００      施錠機構
１０１      昇降機構
１０２      フック部材
２００      係合部材
２０１      当接部
２０２      第１起立部
２０３      第２起立部
２０４      第３起立部（係合部）
２０５      掛止部（延出部）
３００      係合部材
３０４      第３起立部（係合部）
３０５      掛止部（凹部）
【図１】
0005579689.tif 000002
【図２】
0005579689.tif 000003
【図３】
0005579689.tif 000004
【図４】
0005579689.tif 000005
【図５Ａ】
0005579689.tif 000006
【図５Ｂ】
0005579689.tif 000007
【図６Ａ】
0005579689.tif 000008
【図６Ｂ】
0005579689.tif 000009